(57)【要約】【課題】画面を汚すことなく、筆を持つ手及び腕を安定的に固定可能なスタビライザー及びスタビライザーを具備したスタビライザー付きイーゼルを提供する。【解決手段】イーゼル１と、イーゼル１の下部に設けられ、画面を載置する長板状の第１固定部４と、イーゼル１の上部に設けられ、第１固定部４と画面を挟んで固定する長板状の第２固定部５と、長板状の第２固定部５の長手方向に移動可能となるように第２固定部５に懸架されるとともに第１固定部４と第２固定部５との間に架設された腕置き部６とを具備する。【選択図】図１
0003155084.tif 000002
【実用新案登録請求の範囲】
【請求項１】
イーゼルと、
前記イーゼルの下部に設けられ、画面を載置する長板状の第１固定部と、前記イーゼルの上部に設けられ、前記第１固定部と前記画面を挟んで固定する長板状の第２固定部と、長板状の前記第２固定部の長手方向に移動可能となるように前記第２固定部に懸架されるとともに前記第１固定部と前記第２固定部との間に架設された腕置き部と、を具備するスタビライザーと
を備えることを特徴とするスタビライザー付きイーゼル。
【請求項２】
画面を載置する長板状の第１固定部と、
前記第１固定部の上部に設けられた長板状の第２固定部と、
前記第２固定部の長手方向に移動可能となるように前記第２固定部に懸架されるとともに、前記第１固定部と前記第２固定部との間に架設された腕置き部と
を備えることを特徴とするスタビライザー。
【請求項３】
画面を固定する凹状の溝を備える長板状の第１固定部と、
前記第１固定部と対向し、前記画面を固定する凹状の溝を備える長板状の第２固定部と、
前記第１固定部及び前記第２固定部の凹状の溝内に配置され、前記溝内において前記画面を狭持する狭持具と、
前記第２固定部の長手方向に移動可能となるように前記第２固定部に懸架されるとともに、前記第１固定部と前記第２固定部との間に架設された腕置き部と
を備えることを特徴とするスタビライザー。
【考案の詳細な説明】
【技術分野】
【０００１】
本考案は、描画時に手又は腕を支えるためのスタビライザー及びスタビライザーを具備したスタビライザー付きイーゼルに関する。
【背景技術】
【０００２】
デッサンや絵を描く際、画板や油絵用のキャンバス等（以下「支持体」という）を安定的に固定させるための道具として様々な形状のイーゼルが知られている（例えば、特許文献１参照）。油絵等の制作時には、イーゼル上等にキャンバスを固定し、筆を持った手をキャンバスの画面上に置き、フリーハンドで書くのが一般的であるが、細かい作業を行う場合には、筆を持つ手や腕が不安定になり、絵が描きにくい等の問題があることから、手や腕を固定させるための「腕鎮」という細長い棒が考案されていた。
【先行技術文献】
【特許文献】
【０００３】
【特許文献１】特開２００８−１４２１４９号公報
【考案の概要】
【考案が解決しようとする課題】
【０００４】
しかしながら、腕鎮を使った場合においても、まだ不安定で書きにくいという問題がある。また、腕鎮に付着した絵具で画面が汚れたり、腕鎮で画面に傷を付けたりする場合もある。
【０００５】
上記問題点を鑑み、本考案は、画面を汚すことなく、筆を持つ手及び腕を安定的に固定可能なスタビライザー及びスタビライザーを具備したスタビライザー付きイーゼルを提供することを目的とする。
【課題を解決するための手段】
【０００６】
本考案の態様によれば、イーゼルと、イーゼルの下部に設けられ、画面を載置する長板状の第１固定部と、イーゼルの上部に設けられ、第１固定部と画面を挟んで固定する長板状の第２固定部と、長板状の第２固定部の長手方向に移動可能となるように第２固定部に懸架されるとともに第１固定部と第２固定部との間に架設された腕置き部とを具備するスタビライザーを備えるスタビライザー付きイーゼルが提供される。
【０００７】
本考案の他の態様によれば、画面を載置する長板状の第１固定部と、第１固定部の上部に設けられた長板状の第２固定部と、第２固定部の長手方向に移動可能となるように第２固定部に懸架されるとともに、第１固定部と第２固定部との間に架設された腕置き部とを備えるスタビライザーが提供される。
【０００８】
本考案の他の態様によれば、画面を固定する凹状の溝を備える長板状の第１固定部と、第１固定部と対向し、画面を固定する凹状の溝を備える長板状の第２固定部と、第１固定部及び第２固定部の凹状の溝内に配置され、溝内において画面を狭持する狭持具と、第２固定部の長手方向に移動可能となるように第２固定部に懸架されるとともに、第１固定部と第２固定部との間に架設された腕置き部とを備えるスタビライザーが提供される。
【考案の効果】
【０００９】
本考案によれば、画面を汚すことなく、筆を持つ手及び腕を安定的に固定可能なスタビライザー及びスタビライザー付きイーゼルが提供できる。
【図面の簡単な説明】
【００１０】
【図１】本考案の第１の実施の形態に係るスタビライザー付きイーゼルの一例を示す正面図である。
【図２】本考案の第１の実施の形態に係るスタビライザー付きイーゼルの一例を示す側面図である。
【図３】図３（ａ）は、本考案の第２の実施の形態に係るスタビライザーの一例を示す上面図、図３（ｂ）は正面図、図３（ｃ）は側面図である。
【図４】図４は、本考案の第３の実施の形態に係るスタビライザーの一例を示す斜視図である。
【考案を実施するための形態】
【００１１】
以下図面を参照して、本考案の実施の形態について説明する。以下の図面の記載において、同一または類似の部分には同一または類似の符号が付してある。但し、図面は模式的なものであり、厚みと平面寸法との関係、各層の厚みの比率等は現実のものとは異なることに留意すべきである。また図面相互間においても互いの寸法の関係や比率が異なる部分が含まれていることは勿論である。又、以下に示す本考案の実施の形態は、本考案の技術的思想を具体化するための装置や方法を例示するものであって、本考案の技術的思想を構成部品の材質、形状、構造、配置等を下記のものに特定するものでない。
【００１２】
（第１の実施の形態）
本考案の第１の実施の形態に係るスタビライザー付きイーゼルは、図１に示すように、イーゼル１と、イーゼル１の下部に設けられ、画面を載置する長板状の第１固定部４と、イーゼルの上部に設けられ、第１固定部と画面を挟んで固定する長板状の第２固定部５と、第２固定部５の長手方向（図１の左右方向）に移動可能となるように第２固定部５に懸架されるとともに第１固定部４と第２固定部５との間に架設された腕置き部６とを具備するスタビライザー８を備える。
【００１３】
イーゼル１としては、一般的に入手可能な種々の形状及び材質のイーゼルが利用可能である。イーゼル１は、例えば、図１に示すように、画面（図示せず）を狭持するための第１のフレーム２と第２のフレーム３とを備えている。第１のフレーム２は、中央部に備えられた駆動機構１１に接続されている。イーゼル１の下部に配置された駆動機構１１を駆動するためのハンドル１２を動かすことによって、イーゼル１に搭載する画面の大きさに合わせて第１のフレーム２を上下に移動可能である。画面（図示省略）は、第１固定部４及び第２固定部５を介して第１のフレーム２と第２のフレーム３との間に挟持される。第１のフレーム２及び第２のフレーム３は、図２に示すように、支持枠１３に固定されている。
【００１４】
第１固定部４は第１のフレーム２上に載置されている。第１固定部４は、長手方向の（図１の左右方向）長さが、イーゼル１に固定する画面のサイズよりも十分に長くなるように設定されている。第１固定部４としては、板状の木材の他にも、樹脂、金属材料等が利用可能であるが、軽量な自然の木、或いは合板などが特に好適である。
【００１５】
第２固定部５は第２のフレーム３の下に固定されており、長手方向（図１の左右方向）の長さが、イーゼル１に固定する画面のサイズよりも十分に長くなるように設定されている。第２固定部５としては、帯状の木材、樹脂、金属等が利用可能であるが、軽量な天然の木、或いは合板などが特に好適である。
【００１６】
腕置き部６は、合板あるいは天然木からなる帯板状の木材、棒状の木材或いは角材等が利用可能であり、懸架手段６１によって、第２固定部５に懸架されている。懸架手段６１としては、例えば図１に示すように、腕置き部６と第２固定部５とを結わえるための部材（ひも、縄、ゴムなど）が利用可能である。懸架手段６１としてひもを用いる場合は、ひもの一端を、腕置き部６の外周面に巻いて固定するともに、ひもの他端を、ループ状にして第２固定部５に通すことによって、腕置き部６の第２固定部５への固定が行われる。第２固定部５の長手方向への移動を行う際は、腕置き部６を第２固定部から上部に少し浮かせて水平方向に移動させればよい。なお、懸架手段６１は、図１及び図２に示すような例には限られず、後述する第２の実施の形態及び第３の実施の形態において説明するような、腕置き部６の先端をＬ字型に加工して、Ｌ字の一端を第２固定部５上に懸架するような形態を用いてもよい。
【００１７】
図１及び図２に示すスタビライザー付きイーゼルに固定される画面としては、キャンバス、画板、イラストボード、パネル等のように、絵や文字を書くための画面を有するものであれば、特に限定されない。
【００１８】
本考案の第１の実施の形態に係るイーゼル付きスタビライザーを利用する場合は、画面を第１固定部４上に置き、ハンドル１２を回して第１のフレーム２及び第１固定部４を上下に移動させることにより、第１固定部４と第２固定部５との間に画面を狭持する。絵を描く際は、腕置き部６を第２固定部５から少し上方に浮かせて、第２固定部５の長手方向（図１の左右方向）に沿って所望の位置に動かした後、再び腕置き部６を第２固定部５上に懸架させた状態で、腕置き部６上に腕や手を置きながら描画する。
【００１９】
このように、本考案の第１の実施の形態に係るイーゼル付きスタビライザーによれば、イーゼル１の上下に設けられた第１固定部４及び第２固定部５によって、画面を固定するとともに、第２固定部５に懸架された腕置き部６が、第２固定部５の長手方向に沿って自在にスライド可能であるので、キャンパス上の所望の位置に腕置き部６を配置することができるため、筆を持つ手及び腕を安定的に固定可能で、細かい作業がし易くなる。また、腕置き部６は、第１固定部４と第２固定部５との間に架設されており、腕置き部６がキャンパスと直接触れることがないため、画面を汚すことなく作業を行うことができる。
【００２０】
（第２の実施の形態）
本考案の第２の実施の形態に係るスタビライザーは、図３（ａ）〜図３（ｃ）に示すように、画面を載置する長板状の第１固定部４と、第１固定部４の上方に設けられた長板状の第２固定部５と、第２固定部５の長手方向（図３（ｂ）の左右方向）に移動可能となるように第２固定部５に懸架されるとともに、第１固定部４と第２固定部５との間に架設された腕置き部６とを備える。
【００２１】
図３（ｂ）に示すように、長板状の第１固定部４は、第１固定部４を支える支持部９上に載置されている。第２固定部５は、壁面１０に固定された取付具１４等を介して第１固定部４の上部に配置されている。腕置き部６の先端は、略Ｌ字型に加工された懸架手段６１が設けられており、この懸架手段６１が第２固定部５上に自重で載ることによって、腕置き部６が第２固定部５上に懸架される。
【００２２】
本考案の第２の実施の形態に係るスタビライザーを利用する場合は、画面の背面を壁面１０に立てかけ、画面の底面を第１固定部４上に載置する。画面を安定的に配置するために、壁面１０側に他の画面や板等を置いて画面に厚みをもたせ、画面の傾斜角度を調整するようにしてもよい。絵を描く際は、腕置き部を第２固定部５の長手方向（図１の左右方向）に沿って所望の位置に動かし、腕置き部６上に、腕や手を置きながら描画する。
【００２３】
本考案の第２の実施の形態に係るスタビライザーによれば、第２固定部５に懸架された腕置き部６が、第２固定部５の長手方向に沿って自在にスライド可能であるので、キャンパス上の所定の位置に腕置き部６を配置できるとともに、筆を持つ手及び腕を安定的に固定可能である。また、腕置き部６は、第１固定部４と第２固定部５との間に架設されており、腕置き部６がキャンパスと直接触れることがないため、画面を汚すことなく作業を行うことができる。
【００２４】
なお、図３（ａ）〜図３（ｃ）においては、壁面１０に固定した２つの取付具１４によって第２固定部５を第１固定部４上に配置させ、支持部９によって第１固定部４を支える例を示している。しかしながら、例えば、第１固定部４及び第２固定部５の両端を、室内の互いに対向する壁面にそれぞれ固定し、第１固定部４及び第２固定部５を２つの壁面の間で突っ張り棒の如く構成させてもよい。第１固定部４、第２固定部５の間隔を大きく設定した第２の実施の形態に係るスタビライザーをアトリエなどに常設することにより、大画面のキャンパスに対しても、細かい作業を行うことが可能となる。
【００２５】
（第３の実施の形態）
本考案の第３の実施の形態に係るスタビライザーは、図４に示すように、画面を固定する凹状の溝４１を備える第１固定部４と、第１固定部４と対向し、画面を固定する凹状の溝５１を備える長板状の第２固定部５と、第１固定部４及び第２固定部５の凹状の溝４１、４２内に配置され、溝４１、４２内において画面を狭持する狭持具７１と、第２固定部５の長手方向に移動可能となるように第２固定部５に懸架されるとともに、第１固定部４と第２固定部５との間に架設された腕置き部６とを備える。
【００２６】
凹状の溝４１、４２は、第１固定部４及び第２固定部の長手方向ほぼ全面に亘って形成されている。狭持具７１は、ブロック状の木材、ゴム、コルク等様々な材料を利用できる。狭持具７１は取り外しが可能で、図４に示すスタビライザーに搭載する画面の厚さに応じてその大きさが設定可能である。狭持具７１を溝４１、４２内に配置することにより、画面が溝４１、４２内で位置ズレを起こすことを抑制できるため、描画時に画面が動くことがなく、安定的に作業を行うことができる。腕置き部６の先端には、第２の実施形態と同様に、第２固定部５上を長手方向にスライド可能にＬ字型に成形された懸架手段６１が設けられている。
【００２７】
本考案の第３の実施の形態に係るスタビライザーを利用する場合は、画面を第１固定部４の溝４１と第２固定部５の溝に挟み込み、画面と溝４１、４２の間の空間に狭持具７１を挟み込んで画面を固定する。その後、腕置き部６を所定の位置に移動させ、第２固定部５上に懸架させて、腕置き部６上に描画する。
【００２８】
本考案の第３の実施の形態に係るスタビライザーによれば、第１固定部４、第２固定部５、腕置き部６の３つの単純な構成により、画面を汚すことなく、筆を持つ手及び腕を安定的に固定可能なスタビライザーが提供できる。また、単純な構成を有するため、持ち運びが容易で、携帯用としても好適に利用することができる。
【００２９】
上記のように、本考案の実施の形態を記載したが、この開示の一部をなす論述及び図面はこの考案を限定するものであると理解すべきではない。この開示から当業者にはさまざまな代替実施の形態、実施例及び運用技術が明らかとなろう。
【産業上の利用可能性】
【００３０】
本考案は、油絵、水彩画、デッサン等を描画する為の道具等に適用できる。
【符号の説明】
【００３１】
２…第１のフレーム
３…第２のフレーム
４…第１固定部
５…第２固定部
６…腕置き部
１０…壁面
１１…駆動機構
１２…ハンドル
４１、５１…溝
６１…懸架手段
７１…狭持具
【図１】
0003155084.tif 000003
【図２】
0003155084.tif 000004
【図３】
0003155084.tif 000005
【図４】
0003155084.tif 000006